(57)【要約】【課題】積載物を安全に被覆することができる積載物被覆装置を提供する。【解決手段】ロール１０とモータ２０とシート３０とリモートコントローラとを有する。ロール１０は、貨物自動車１の荷台２前方に荷台２の幅方向に沿って伸びるよう取り付けられる。モータ２０は、ロール１０を正転および逆転可能である。シート３０は、ロール１０の側面に一端が取り付けられてロール１０に巻き付けられ、広げたとき荷台２に積載される積荷４を被覆可能である。リモートコントローラは、モータ２０を正転、逆転および停止可能なロール用スイッチを有している。【選択図】図１
0003228532.tif 000002
【実用新案登録請求の範囲】
【請求項１】
貨物自動車の荷台前方に荷台の幅方向に沿って伸びるよう取り付けられるロールと、
前記ロールを正転および逆転可能なモータと、
前記ロールの側面に一端が取り付けられて前記ロールに巻き付けられ、広げたとき前記荷台に積載される積荷を被覆可能なシートとを、
有することを特徴とする積載物被覆装置。
【請求項２】
前記荷台の両側のあおりの上縁に沿ってそれぞれ伸びるよう取り付けられた１対のシャフトと、
前記シャフトを正転および逆転可能なシャフト用モータと、
各シャフトに側縁が取り付けられた１対のシート板と、
前記モータを正転、逆転および停止可能なロール用スイッチと、前記シャフト用モータを正転、逆転および停止可能なシート板用スイッチとを有するリモートコントローラとを、
有することを特徴とする請求項１記載の積載物被覆装置。
【考案の詳細な説明】
【技術分野】
【０００１】
本考案は、貨物自動車で用いられる積載物被覆装置に関する。
【背景技術】
【０００２】
従来、貨物自動車に積載される積載物にシートを動力で被せる積載物被覆装置が開示されている（例えば、特許文献１参照）。
【先行技術文献】
【特許文献】
【０００３】
【特許文献１】特開２０１９−２０９８６５号公報
【考案の概要】
【考案が解決しようとする課題】
【０００４】
しかしながら、特許文献１に記載の積載物被覆装置では、ワイヤーとウインチを必要とするため、ワイヤーが積載物に引っ掛かったりワイヤーが切れたりする危険性があるという課題があった。
【０００５】
本考案は、このような課題に着目してなされたもので、積載物を安全に被覆することができる積載物被覆装置を提供することを目的とする。
【課題を解決するための手段】
【０００６】
上記目的を達成するために、本考案に係る積載物被覆装置は、貨物自動車の荷台前方に荷台の幅方向に沿って伸びるよう取り付けられるロールと、前記ロールを正転および逆転可能なモータと、前記ロールの側面に一端が取り付けられて前記ロールに巻き付けられ、広げたとき前記荷台に積載される積荷を被覆可能なシートとを、有することを特徴とする。
【０００７】
本考案に係る積載物被覆装置において、貨物自動車の荷台に積載された積荷を被覆する場合、モータを正転させてロールを正転させる。ロールの回転によりシートが広げられ、荷台の積荷を被覆することができる。積荷の上からシートを外す場合、モータを逆転させてロールを逆転させる。ロールの逆転によりシートがロールに巻き取られ、積荷の上からシートを外すことができる。本考案に係る積載物被覆装置は、ワイヤーおよびウインチを用いず、シートを巻き付けたロールをモータにより回転させるため、ワイヤーが積載物に引っ掛かったりワイヤーが切れたりする危険性がなく、積載物を安全に被覆することができる。
【０００８】
本考案に係る積載物被覆装置は、前記荷台の両側のあおりの上縁に沿ってそれぞれ伸びるよう取り付けられた１対のシャフトと、前記シャフトを正転および逆転可能なシャフト用モータと、各シャフトに側縁が取り付けられた１対のシート板と、前記モータを正転、逆転および停止可能なロール用スイッチと、前記シャフト用モータを正転、逆転および停止可能なシート板用スイッチとを有するリモートコントローラとを、有することが好ましい。
【０００９】
この場合、シート板を積荷側に閉じるよう倒すとき、リモートコントローラのシート板用スイッチを正転オンにし、シャフト用モータを正転させて各シャフトを正転させる。シャフトの正転により各シート板が積荷側に閉じるよう倒れ、積荷が荷台からこぼれ落ちたり飛散したりするのを防ぐことができる。シート板を荷台の外側に開くよう倒すときには、リモートコントローラのシート板用スイッチを逆転オンにし、シャフト用モータを逆転させてシャフトを逆転させる。シャフトの逆転により各シート板を荷台の外側に開くよう倒すことができる。また、リモートコントローラのロール用スイッチを正転オンにすれば、積荷をシートで被覆することができ、ロール用スイッチを逆転オンにすれば、積荷の上からシ−トを外すことができる。
【考案の効果】
【００１０】
本考案によれば、積載物を安全に被覆することができる積載物被覆装置を提供することができる。
【図面の簡単な説明】
【００１１】
【図１】本考案の実施の形態の積載物被覆装置が取り付けられた貨物自動車を示す側面概念図である。
【図２】図１の積載物被覆装置が取り付けられた貨物自動車を示す平面概念図である。
【図３】図１の積載物被覆装置の、積荷を被覆している状態を示す側面概念図である。
【図４】図１の積載物被覆装置のモータ周辺を示す側面概念図である。
【図５】図１の積載物被覆装置のロールを示す側面概念図である。
【図６】１対のシート板が取り付けられた貨物自動車を示す斜視図である。
【考案を実施するための形態】
【００１２】
以下、図面に基づき、本考案の実施の形態について説明する。
図１〜図５は、本考案の実施の形態の積載物被覆装置を示している。
積載物被覆装置は、ロール１０とモータ２０とリモートコントローラ（図示せず）とシート３０とを有している。
図１、図４および図５に示すように、ロール１０は、ケース状のベース１１の内部に収容されている。ベース１１は貨物自動車１の荷台２の前方にあるガードフレーム３に取り付けられ、ロール１０は荷台２の幅方向に沿って伸びるよう取り付けられる。ロール１０の一端には、ギヤ１２が固定されている。ロール１０は、シールドベアリング１３を有している。モータ２０は、電動でギヤ２１を正転および逆転可能となっており、チェーン２２を介してロール１０のギヤ１２を駆動させ、ロール１０を正転および逆転可能である。リモートコントローラは、モータ２０を正転、逆転および停止可能なロール用スイッチを有している。
【００１３】
シート３０は、長方形状で、荷台２の長さよりやや長く、荷台２の幅よりやや広い大きさを有している。図２および図３に示すように、シート３０は、ロール１０の側面に一端が取り付けられてロール１０に巻き付けられ、広げたとき荷台２に積載される積荷４を被覆可能となっている。シート３０の他端には、シート３０の幅で伸びる錘棒３１が取り付けられている。錘棒３１には、固定用のロープ３２が取り付けられている。
【００１４】
上述の積載物被覆装置において、貨物自動車１の荷台２に積載された積荷４を被覆する場合、リモートコントローラのロール１０用スイッチを正転オンにし、モータ２０を正転させてロール１０を正転させる。ロール１０の回転によりシート３０が広げられ、荷台２の積荷４を被覆することができる。被覆の際には、ロープ３２を持って、荷台２の後方まで錘棒３１を引っ張り、ロープ３２を荷台２の後部の車体に結わえ付けるようにする。
【００１５】
積荷４の上からシート３０を外す場合、ロープ３２を車体から外し、ロール用スイッチを逆転オンにし、モータ２０を逆転させてロール１０を逆転させる。ロール１０の逆転によりシート３０がロール１０に巻き取られ、積荷４の上からシート３０を外すことができる。本考案に係る積載物被覆装置は、ワイヤーおよびウインチを用いず、シート３０を巻き付けたロール１０をモータ２０により回転させるため、ワイヤーが積載物に引っ掛かったりワイヤーが切れたりする危険性がなく、積載物を安全に被覆することができる。
【００１６】
図６に示すように、積載物被覆装置は、荷台２の両側のあおり２３の上縁に沿って設けられた１対のシート板２４をリモートコントローラにより作動可能となっていてもよい。
この場合、積載物被覆装置は、１対のシャフトとシャフト用モータと１対のシート板２４とを有している。各シャフトは、荷台２の両側のあおり２３の上縁に沿ってそれぞれ伸びるよう取り付けられている。シャフト用モータは、各シャフトを正転および逆転可能となっている。各シート板２４は、積載物の飛散防止用のシート板であり、各シャフトに側縁が取り付けられている。リモートコントローラは、ロール用スイッチのほか、シャフト用モータを正転、逆転および停止可能なシート板用スイッチを有している。
【００１７】
この積載物被覆装置では、シート板２４を積荷側に閉じるよう倒すとき、リモートコントローラのシート板用スイッチを正転オンにし、シャフト用モータを正転させて各シャフトを正転させる。シャフトの正転により各シート板２４が積荷側に閉じるよう倒れ、積荷４が荷台２からこぼれ落ちたり飛散したりするのを防ぐことができる。シート板２４を荷台２の外側に開くよう倒すときには、リモートコントローラのシート板用スイッチを逆転オンにし、シャフト用モータを逆転させてシャフトを逆転させる。シャフトの逆転により各シート板２４を荷台２の外側に開くよう倒すことができる。
【符号の説明】
【００１８】
１  貨物自動車
２  荷台
３  ガードフレーム
４  積荷
１０  ロール
１１  ベース
１２  ギヤ
１３  シールドベアリング
２０  モータ
２１  ギヤ
２２  チェーン
２３  あおり
２４  シート板
３０  シート
３１  錘棒
３２  ロープ
【図１】
0003228532.tif 000003
【図２】
0003228532.tif 000004
【図３】
0003228532.tif 000005
【図４】
0003228532.tif 000006
【図５】
0003228532.tif 000007
【図６】
0003228532.tif 000008